(57)【要約】【課題】スイッチング素子の冷却効果を高めることと、放熱体の設置面積を小さくすることの両方を実現することができる誘導加熱調理器を提供する。【解決手段】直流電源間に接続される第１及び第２スイッチング素子の直列接続回路と、被加熱物を誘導加熱する加熱コイルと共振コンデンサが直列接続されて構成されると共に一端が第１及び第２スイッチング素子の接続点に接続され他端が直流電源の一端に接続される共振回路と、第１スイッチング素子を取り付けて冷却する第１放熱体と、第２スイッチング素子を取り付けて冷却する第２放熱体と、各部品を固定する印刷配線板と、隔壁と当該隔壁を挟んで両側に形成される第１及び第２載置部を設けた電気絶縁性を有する放熱体支持部とを備え、第１放熱体は第１載置部に載置されて印刷配線板上に固定し、第２放熱体は第２載置部に載置されて印刷配線板上に固定する。【選択図】図４
2011014261.tif 000002
【特許請求の範囲】
【請求項１】
直流電源間に接続される第１及び第２スイッチング素子の直列接続回路と、
被加熱物を誘導加熱する加熱コイルと共振コンデンサが直列接続されて構成されると共に、一端が前記第１スイッチング素子と前記第２スイッチング素子との接続点に接続され、他端が前記直流電源の一端に接続される共振回路と、
前記第１スイッチング素子を下面に設けられた第１取り付け面に取り付けて冷却するアルミニウム製の第１放熱体と、
前記第２スイッチング素子を下面に設けられた第２取り付け面に取り付けて冷却するアルミニウム製の第２放熱体と、
前記共振コンデンサ、前記第１及び第２放熱体を載置して固定する印刷配線板と、
を備え、
隔壁と当該隔壁を挟んで両側に形成される第１載置部及び第２載置部とを設けた電気絶縁性を有する樹脂製の放熱体支持部を有し、
前記第１放熱体は、前記第１載置部に載置されて印刷配線板上に固定され、
前記第２放熱体は、前記第２載置部に載置されて印刷配線板上に固定された、
誘導加熱調理器。
【請求項２】
前記放熱体支持部は、前記第２放熱体全体を載置する、請求項１に記載の誘導加熱調理器。
【請求項３】
前記第１及び第２スイッチング素子は、前記印刷配線板に電気的に接続され、
前記印刷配線板は、前記第１スイッチング素子の電流を流す導体線を備え、
前記放熱体支持部は、前記第２放熱体と前記印刷配線板との間で前記導体線を覆う、請求項１又は２に記載の誘導加熱調理器。
【請求項４】
前記第１放熱体は、前記第１放熱体と一体に設けられたアルミニウム製の第１脚を有し、前記第１脚の下部を前記印刷配線板に載置して固定する、請求項１〜３のいずれか１つに記載の誘導加熱調理器。
【請求項５】
前記第２放熱体は、前記第２放熱体と一体に設けられ前記第１脚よりも上下方向の長さが短いアルミニウム製の第２脚を有し、前記第２脚の下部を前記放熱体支持部に載置して前記印刷配線板上に固定する、請求項４に記載の誘導加熱調理器。
【請求項６】
前記放熱体支持部は、前記第１放熱体全体を載置する、請求項２に記載の誘導加熱調理器。
【請求項７】
前記第１放熱体は、前記第１放熱体と一体に設けられたアルミニウム製の第１脚を有し、前記第１脚の下部を前記印刷配線板に載置して固定し、
前記第２放熱体は、前記第２放熱体と一体に設けられたアルミニウム製の第２脚を有し、前記第２脚の下部を前記印刷配線板に載置して固定する、請求項１に記載の誘導加熱調理器。
【請求項８】
前記放熱体支持部は、前記第１載置部に載置された第１放熱体の側面の一部、又は前記第２載置部に載置された第２放熱体の側面の一部の少なくともいずれか一方を保護するように設けられた電気絶縁性を有する樹脂製の壁を備えている、請求項１〜７のいずれか１つに記載の誘導加熱調理器。
【発明の詳細な説明】
【技術分野】
【０００１】
本発明は、一般家庭の台所や業務用の厨房等で使用される誘導加熱調理器に関し、より詳しくは、当該誘導加熱調理器において、加熱コイルを駆動するインバータを構成するスイッチング素子を冷却する構造に関する。
【背景技術】
【０００２】
従来、この種の誘導加熱調理器としては、例えば、特許文献１（特開平１１−２９７４６１号公報）に記載されたものがある。特許文献１には、高電位側のスイッチング素子と低電位側のスイッチング素子とにそれぞれ異なる放熱体（冷却フィン）に取り付け、それらの放熱体を、冷却ファンの送風方向の風上側と風下側とに配置して、１つの冷却ファンにより冷却するようにした誘導加熱調理器が記載されている。また、特許文献１には、１つの放熱体のみを使用し、高電位側のスイッチング素子と低電位側のスイッチング素子のいずれか一方を当該放熱体と絶縁するために、絶縁シートを配置するか、あるいは、パッケージを絶縁型として取り付けた誘導加熱調理器が記載されている。
【先行技術文献】
【特許文献】
【０００３】
【特許文献１】特開平１１−２９７４６１号公報
【発明の概要】
【発明が解決しようとする課題】
【０００４】
しかしながら、高電位側のスイッチング素子と低電位側のスイッチング素子とをそれぞれ異なる放熱体に取り付け前後方向に並べて配置した場合には、風下側の放熱体の冷却効率が低いという課題がある。また、左右に並べて配置した場合には、両放熱体の絶縁距離を確保するために、両放熱体のための大きな設置面積が必要になり放熱体に均一に冷却風を当てるのが難しくなる。
【０００５】
一方、１つの放熱体のみを使用する場合には、放熱体の設置面積は小さくすることができるものの、絶縁シート又はパッケージを必要とするのでコストが高くなる。また、スイッチング素子の接合部と放熱体との間の熱抵抗が大きくなり、スイッチング素子の冷却効率が低下するという課題がある。
【０００６】
従って、本発明の目的は、前記課題を解決することにあって、スイッチング素子の冷却効果を高めることと、放熱体の設置面積を小さくすることの両方を実現することができる誘導加熱調理器を提供することにある。
【課題を解決するための手段】
【０００７】
前記目的を達成するために、本発明は以下のように構成する。
本発明の第１態様によれば、直流電源間に接続される第１スイッチング素子と第２スイッチング素子の直列接続回路と、
被加熱物を誘導加熱する加熱コイルと共振コンデンサが直列接続されて構成されると共に、一端が前記第１スイッチング素子と前記第２スイッチング素子との接続点に接続され、他端が前記直流電源の一端に接続される共振回路と、
前記第１スイッチング素子を下面に設けられた第１取り付け面に取り付けて冷却するアルミニウム製の第１放熱体と、
前記第２スイッチング素子を下面に設けられた第２取り付け面に取り付けて冷却するアルミニウム製の第２放熱体と、
前記共振コンデンサ、前記第１及び第２放熱体を載置して固定する印刷配線板と、
を備え、
隔壁と当該隔壁を挟んで両側に形成される第１載置部及び第２載置部とを設けた電気絶縁性を有する樹脂製の放熱体支持部を有し、
前記第１放熱体は、前記第１載置部に載置されて印刷配線板上に固定され、
前記第２放熱体は、前記第２載置部に載置されて印刷配線板上に固定された、
誘導加熱調理器を提供する。
【０００８】
本発明の第２態様によれば、前記放熱体支持部は、前記第２放熱体全体を載置する、第１態様に記載の誘導加熱調理器を提供する。
【０００９】
本発明の第３態様によれば、前記第１及び第２スイッチング素子は、前記印刷配線板に電気的に接続され、
前記印刷配線板は、前記第１スイッチング素子の電流を流す導体線を備え、
前記放熱体支持部は、前記第２放熱体と前記印刷配線板との間で前記導体線を覆う、第１又は２態様に記載の誘導加熱調理器を提供する。
【００１０】
本発明の第４態様によれば、前記第１放熱体は、前記第１放熱体と一体に設けられたアルミニウム製の第１脚を有し、前記第１脚の下部を前記印刷配線板に載置して固定する、第１〜３態様のいずれか１つに記載の誘導加熱調理器を提供する。
【００１１】
本発明の第５態様によれば、前記第２放熱体は、前記第２放熱体と一体に設けられ前記第１脚よりも上下方向の長さが短いアルミニウム製の第２脚を有し、前記第２脚の下部を前記放熱体支持部に載置して前記印刷配線板上に固定する、第４態様に記載の誘導加熱調理器を提供する。
【００１２】
本発明の第６態様によれば、前記放熱体支持部は、前記第１放熱体全体を載置する、第２態様に記載の誘導加熱調理器を提供する。
【００１３】
本発明の第７態様によれば、前記第１放熱体は、前記第１放熱体と一体に設けられたアルミニウム製の第１脚を有し、前記第１脚の下部を前記印刷配線板に載置して固定し、
前記第２放熱体は、前記第２放熱体と一体に設けられたアルミニウム製の第２脚を有し、前記第２脚の下部を前記印刷配線板に載置して固定する、第１態様に記載の誘導加熱調理器を提供する。
【００１４】
本発明の第８態様によれば、前記放熱体支持部は、前記第１載置部に載置された第１放熱体の側面の一部、又は前記第２載置部に載置された第２放熱体の側面の一部の少なくともいずれか一方を保護するように設けられた電気絶縁性を有する樹脂製の壁を備えている、第１〜７態様のいずれか１つに記載の誘導加熱調理器を提供する。
【発明の効果】
【００１５】
本発明の第１態様によれば、前記放熱体支持部により第１放熱体と第２放熱体とを分離して電気絶縁することができるので、第１スイッチング素子と第２スイッチング素子とを、第１の放熱体と第２放熱体のそれぞれの取り付け面に直接、接するように取り付けることができる。これにより、両冷却フィンを横に近接して並べて、それらをバランス良く冷却風で冷却して、各スイッチング素子の放熱効果を高めることができる。また、印刷配線板の実装密度を高めることができる。さらに絶縁シートを設けたり、前記特許文献１のように、スイッチング素子の接合部と当該スイッチング素子のケースとが絶縁された絶縁型のスイッチング素子を使用したりする必要がなく、誘導加熱調理器を安価に構成することができる。
【００１６】
本発明の第２態様によれば、放熱体支持部は第２放熱体全体を載置する、すなわち、第２放熱体の全重量を放熱体支持部が支持するように構成することにより、第２放熱体の下方に電気部品を配置し易くなるので、印刷配線板の面積を効率的に使用することができる。
【００１７】
本発明の第３態様によれば、第２放熱体と印刷配線板との間で前記導体線を覆うように放熱支持部を構成することにより、高電圧が加わる第２放熱体の取り付け面と導体線との間に必要な絶縁を確保することができる。
【００１８】
本発明の第４態様によれば、アルミニウム製の第１脚の下部を印刷配線板に載置して固定するように第１放熱体を構成することにより、第１脚の部分での放熱作用で、第１放熱体の冷却効果を高めることができる。また、第１脚により、第１放熱体の本体と印刷配線板との間に隙間を空けることができるので、当該隙間に冷却風を通過させることで第１放熱体の冷却効果をさらに高めることができる。
【００１９】
本発明の第５態様によれば、前記第１脚よりも上下方向の長さが短いアルミニウム製の第２脚の下部を放熱体支持部に載置して印刷配線板上に固定するように第２放熱体を構成することにより、第１及び第２放熱体の下方に電気部品を配置し易くし、印刷配線板の面積を効率的に使用することができる。また、第２脚の部分での放熱作用で、第２放熱体の冷却効果を高めることができる。
【００２０】
本発明の第６態様によれば、放熱体支持部は第１放熱体全体を載置する、すなわち、第１放熱体の全重量を放熱体支持部が支持するように構成することにより、第１及び第２放熱体の下方に電気部品を配置し易くなるので、印刷配線板の面積をさらに効率的に使用することができる。
【００２１】
本発明の第７態様によれば、アルミニウム製の第１脚の下部を印刷配線板に載置して固定するように第１放熱体を構成するとともに、アルミニウム製の第２脚の下部を印刷配線板に載置して固定するように第２放熱体を構成することにより、第１脚及び第２脚の部分での放熱作用で、第１及び第２放熱体の冷却効果を高めることができる。また、第１脚及び第２脚により、第１及び第２放熱体の本体と印刷配線板との間に隙間を空けることができるので、当該隙間に冷却風を通過させることで第１及び第２放熱体の冷却効果をさらに高めることができる。
【００２２】
本発明の第８態様によれば、前記のように設けた樹脂製の壁により、印刷配線板上に設ける電気部品と第１又は第２放熱体との絶縁を確保することができるので、前記電気部品を第１又は第２放熱体の近傍に配置することができる。これにより、印刷配線板の実装密度をさらに高めることができる。
【図面の簡単な説明】
【００２３】
【図１】本発明の実施形態にかかる誘導加熱調理器の回路図である。
【図２】本発明の実施形態にかかる誘導加熱調理器が備える印刷配線板の平面図である。
【図３】本発明の実施形態にかかる誘導加熱調理器が備える第１及び第２放熱体に、放熱体支持部、第１及び第２スイッチング素子、及び整流器を取り付けた状態を示す斜視図である。
【図４】本発明の実施形態にかかる誘導加熱調理器が備える第１及び第２放熱体に、放熱体支持部、第１及び第２スイッチング素子、及び整流器を取り付けた状態を示す斜視図である。
【図５】本発明の実施形態にかかる誘導加熱調理器が備える放熱体支持部の斜視図である。
【発明を実施するための形態】
【００２４】
以下、本発明の実施形態について、図面を参照しながら説明する。なお、この実施の形態によって本発明が限定されるものではない。
【００２５】
《実施形態》
図１は、本発明の実施形態にかかる誘導加熱調理器の回路図である。図２は、本発明の実施形態にかかる誘導加熱調理器が備える印刷配線板の平面図である。図３及び図４は、本発明の実施形態にかかる誘導加熱調理器が備える第１及び第２放熱体に、放熱体支持部、第１及び第２スイッチング素子、及び整流器を取り付けた状態を示す斜視図である。図５は、本発明の実施形態にかかる誘導加熱調理器が備える放熱体支持部の斜視図である。
【００２６】
図１において、商用電源１を入力して全波整流を行う整流器２の正極側出力端子は、チョークコイル３の一端に接続されている。チョークコイル３の他端と整流器２の負極側出力端子間には、高周波電流を供給するための直流電源となる平滑コンデンサ４が接続されている。平滑コンデンサ４の両端には、高電位側の第１スイッチング素子８と低電位側の第２スイッチング素子９の直列回路が接続されている。第１スイッチング素子８，第２スイッチング素子９は、それぞれダイオードが逆方向に接続された逆導通型のスイッチング素子である。鍋などの被加熱物１０を誘導加熱する加熱コイル７の一端は、第１共振コンデンサ５と第２共振コンデンサ６との接続点に接続され、加熱コイル７と第１及び第２共振コンデンサ５，６により共振回路１１が構成されている。
【００２７】
共振回路１１は、加熱コイル７と第１共振コンデンサ５の直列回路と、加熱コイル７と第２共振コンデンサ６の直列回路の、２つの直列回路を含んでいる。尚、高周波動作を考えると、図１の共振回路１１は、第１共振コンデンサ５と第２共振コンデンサ６とを並列接続したもの(又は並列接続した第１，第２共振コンデンサ５，６の合計容量と等しい容量としたひとつの共振コンデンサ)と加熱コイル７の直列回路と実質的に等価である。この場合、共振回路１１は、スイッチング素子８とスイッチング素子９との接続点と、平滑コンデンサ４の一端との間に接続される。
【００２８】
共振コンデンサ６と平滑コンデンサ４の低電位側端子との間には、微小抵抗（例えば０．０１オーム以下）の共振電流検知用のシャント抵抗１２が接続されている。
【００２９】
図２に示すように、第１及び第２共振コンデンサ５，６、第１及び第２放熱体１３，１４、チョークコイル３、加熱コイル７との接続のための接続端子７ａ，７ｂ、及び導体線１７ａ，１７ｂの各部品は、印刷配線板１５に載置され固定されている。これらの部品の端子部は、印刷配線板１５の裏面又は表面に形成された導体箔の一例である銅箔パターン１５ｂ（破線で示す）に、ハンダ付けにより接続されている。図２、図３中の矢印は、冷却風の流れる方向を示している。導体線１７ａは、第１スイッチング素子８の電流Ｉｃ１を流して銅箔パターン１５ａの発熱を抑制するものである。導体線１７ｂは、整流器２の出力電流Ｉｄを流して銅箔パターン１５ｂの発熱を抑制するものである。導体線１７ｃは、第１スイッチング素子８の電流Ｉｃ２を流して銅箔パターン１５ａの発熱を抑制するものである。導体線１７ｄは、第２スイッチング素子９の電流を流して銅箔パターン１５ｃの発熱を抑制するものである。
【００３０】
図３及び図４に示す第１放熱体１３は、アルミニウムの押し出し成型加工により作成されている。図４に示すように、第１放熱体１３は、下面に第１取り付け面１３ａを有している。この第１取り付け面１３ａに第１スイッチング素子８及び整流器２が取り付けられている。従って、第１放熱体１３が冷却されることにより、第１スイッチング素子８及び整流器２は冷却される。第１スイッチング素子８及び整流器２の端子部は、印刷配線板１５の裏面又は表面に形成された銅箔パターン１５ａ，１５ｂ（破線で示す）に、ハンダ付けにより接続されている。また、第１放熱体１３の片側端部にのみ、第１脚１３ｂが設けられている。第１脚１３ｂは、断面形状がＬ字状となるように形成され、その下部が取り付け面１３ａに対して水平な水平部１３ｃを有するように外側に突出している。水平部１３ｃには、第１放熱体１３を印刷配線板１５に固定するためにネジ（図示せず）が挿入される取り付け穴１３ｄが設けられている。
【００３１】
図３及び図４に示す第２放熱体１４は、第１放熱体１３と同様に、アルミニウムの押し出し成型加工により作成されている。図４に示すように、第２放熱体１４は、下面に第２取り付け面１４ａを有している。この第２取り付け面１４ａに第２スイッチング素子９が取り付けられている。従って、第２放熱体１４が冷却されることにより、第２スイッチング素子９は冷却される。第２スイッチング素子９の端子部は、印刷配線板１５の裏面又は表面に形成された銅箔パターン１５ａ，１５ｃ（破線で示す）に、ハンダ付けにより接続されている。また、第２放熱体１４の片側端部にのみ、第２脚１４ｂが設けられている。第２脚１４ｂは、上下方向の長さｈ２が、第１脚１３ｂの上下方向の長さｈ１よりも短くなるように構成されている。第２脚１４ｂは、断面形状がＬ字状となるよう形成され、その下部が取り付け面１４ａに対して水平な水平部１４ｃを有するように外側に突出している。水平部１４ｃには、取り付け穴１４ｄと取り付け穴１４ｅとが設けられている。取り付け穴１４ｄは、第２放熱体１４を、放熱体支持部１６及び印刷配線板１５を介して誘導加熱調理器の本体に固定するためにネジ（図示せず）が挿入される穴である。取り付け穴１４ｅは、第２放熱体１４を、放熱体支持部１６を介して印刷配線板１５に固定するためにネジ（図示せず）が印刷配線板１５の裏面から挿入される穴である。
【００３２】
図５に示す放熱体支持部１６は、電気絶縁性を有する樹脂で一体成型加工されている。この放熱支持部１６は、印刷配線板１５に載置される。放熱体支持部１６には、第１放熱体１３と第２放熱体１４とを分離して電気絶縁するための隔壁となる第１壁１６ａと、第１壁１６ａを挟んで両側に形成される第１載置部１６ｂ及び第２載置部１６ｃとが設けられている。
【００３３】
第１載置部１６ｂは、固定用ボス１６ｂａと、４つの位置決め用ボス１６ｂｂとを備えている。固定用ボス１６ｂａは、第１壁１６ａの延在方向の略中間部に取り付けられている。固定用ボス１６ｂａには、載置面１６ｂｃに穴１６ｆが設けられている。４つの位置決め用ボス１６ｂｂは、第１壁１６ａの延在方向の両端部と、当該両端部と中間部との間にそれぞれ配置されている。各位置決めボス１６ｂｂには、載置面１６ｂｃに対して垂直に、位置決め用の垂直部１６ｂｅが設けられている。
【００３４】
第２載置部１６ｃは、第１載置部１６ｂと同様に、固定用ボス１６ｃａと、４つの位置決め用ボス１６ｃｂとを備えている。固定用ボス１６ｃａは、第１壁１６ａの延在方向の中間部に取り付けられている。固定用ボス１６ｃａには、載置面１６ｃｃに穴１６ｄが設けられている。４つの位置決め用ボス１６ｃｂは、第１壁１６ａの延在方向の両端部と、当該両端部と中間部との間にそれぞれ配置されている。各位置決めボス１６ｃｂには、載置面１６ｃｃに対して垂直に、位置決め用の垂直部１６ｃｅが設けられている。
【００３５】
また、放熱体支持部１６には、第１載置部１６ｂに載置された第１放熱体１３の側面１３ｆの一部と、第２載置部１６ｃに載置された第２放熱体１４の側面１４ｆの一部を保護するように電気絶縁性を有する樹脂製の第２壁１６ｇが設けられている。本実施形態において、第２壁１６ｇは、第１壁１６ａをその両端部から挟むように２箇所に配置されている。それぞれの第２壁１６ｇは、第１放熱体１３の側面１３ｆ及び第２載置部１６ｃの側面１４ｆに沿うように設けられている。例えば、それぞれの第２壁１６ｇは、第１壁１６ａの延在方向とは直交する方向に配置されている。図２に示すように、第２壁１６ｇにより、第１及び第２放熱体１３，１４と、印刷配線板１５に設けられる電気部品の一例であるコンデンサ１９(図１参照)との絶縁を確保することができるので、第１及び第２放熱体１３，１４とコンデンサ１９とを互いに近接して配置することができる。これにより、印刷配線板１５の実装密度を高めることができる。なお、第２壁１６ｇは、前記構成に限定されるものではなく、第１載置部１６ｂに載置された第１放熱体１３の側面１３ｆの一部、又は第２載置部１６ｃに載置された第２放熱体１４の側面１４ｆの一部の少なくともいずれか一方を保護するように設ければよい。例えば、ここでは、第２壁１６ｇを２箇所に設けたが、１箇所のみに設けてもよい。
【００３６】
放熱体支持部１６の角部には、上方からみてＬ字状に形成された位置決め用の第３壁１６ｈが設けられている。
【００３７】
第１放熱体１３は、第１脚１３ｂが設けられていない側の端部が、第２壁１６ｇと位置決め用ボス１６ｂｂの垂直部１６ｂｅとにガイドされて、放熱体支持部１６の第１載置部１６ｂに載置される。当該載置された状態で、ネジ１７が、放熱体支持部１６の裏面側から穴１６ｆを通じて、第１放熱体１３に設けられた取り付け穴１３ｅ（図２参照）に締め込まれることにより、第１放熱体１３が放熱体支持部１６に固定される。
【００３８】
第２放熱体１４は、第２脚１４ｂが設けられていない側の端部が第２壁１６ｇ及び位置決め用ボス１６ｃｂの垂直部１６ｃｅにガイドされるとともに、第２脚１４ｂが第３壁１６ｈにガイドされて、放熱体支持部１６の第２載置部１６ｃに載置される。このとき、第２放熱体１４の第２脚１４ｂの水平部１４ｃの下面は、放熱体支持部１６の底面１６ｌ上に載置される。当該載置された状態で、ネジ１８が、放熱体支持部１６の裏面側から穴１６ｄを通じて、第２放熱体１４に設けられた取り付け穴１４ｇ（図２参照）に締め込まれることにより、第２放熱体１４が放熱体支持部１６に固定される。
【００３９】
図５に示す放熱体保持部１６の穴１６ｉは、放熱体保持部１６を間に挟んだ状態で、第２放熱体１４を印刷配線板１５に取り付けるためにネジ（図示せず）が挿入される貫通穴である。図５に示す放熱体保持部１６の穴１６ｊは、放熱体保持部１６及び印刷配線板１５を間に挟んだ状態で、第２放熱体１４を誘導加熱調理器の本体に取り付けるためにネジ（図示せず）が挿入される貫通穴である。
【００４０】
放熱体保持部１６の底面１６ｌには、切り欠き部１６ｋが設けられている。この切り欠き部１６ｋは、放熱体保持部１６を第２放熱体１４に取り付けたときに、第２放熱体１４の下面に固定された第２スイッチング素子９に対応する位置に設けられている。切り欠き部１６ｋの周囲には、底面１６ｌに対して垂直な壁面１６ｍａ，１６ｍｂ，１６ｍｃが設けられている。壁面１６ｍｂには、さらに切り欠き部１６ｍｄが設けられている。この切欠き部１６ｍｄは、第２スイッチング素子９の電流Ｉｃ２を流す導体線１７ｃに放熱体保持部１６が接触しないようにするために設けられている。
【００４１】
第１放熱体１３は、取り付け面（下面）１３ａが放熱体支持部１６の第１載置部１６ｂに載置され、第１脚１３ｂが印刷配線板１５上に載置される。この状態において、印刷配線板１５の裏面から挿入されたネジ(図示せず)が取り付け穴１３ｄに締め込まれることにより、第１放熱体１３が印刷配線板１５に固定される。
【００４２】
第２放熱体１４は、取り付け面（下面）１４ａが放熱体支持部１６の第２載置部１６ｃに載置され、第２脚１４ｄが印刷配線板１５上に載置される。このとき、第２放熱体１４の取り付け面１４ａと印刷配線板１５の上面との間に、放熱体支持部１６が挟まれた状態となる。この状態において、印刷配線板１５の裏面から挿入されたネジ(図示せず)が放熱体支持部１６の穴１６ｉを通じて取り付け穴１４ｅに締め付けられることにより、放熱体支持部１６と第２放熱体１４とが、印刷配線板１５に固定される。
【００４３】
以上のように、本発明の実施形態にかかる誘導加熱調理器によれば、放熱体支持部１６により、第１放熱体１３と第２放熱体１４とを分離して電気絶縁することができるので、第１スイッチング素子８と第２スイッチング素子９とを、第１放熱体１３と第２放熱体１４のそれぞれの取り付け面１３ａ，１４ａに直接、接するように取り付けることができる。従って、各スイッチング素子８，９の放熱効果を高めることができる。また、前記特許文献１のように絶縁シートを設けたり、スイッチング素子の接合部と当該スイッチング素子のケースとが絶縁された絶縁型のスイッチング素子を使用したりする必要がないので、本実施形態にかかる誘導加熱調理器は安価に製造することができる。
【００４４】
また、本実施形態にかかる誘導加熱調理器においては、放熱体支持部１６には、第２放熱体１４の取り付け面１４ａの略全体が載置されているので、第２放熱体１４の下方に電位の異なる電気部品を配置し易くなる。これにより、印刷配線板１５の面積を効率的に使用することができる。
【００４５】
また、本実施形態にかかる誘導加熱調理器においては、印刷配線板１５は、第１スイッチング素子８の主電流であるコレクタ電流Ｉｃ１を流す導体線１７ａと、整流器２の出力電流Ｉｄを流す導体線１７ｂと、第２スイッチング素子９の電流Ｉｃ２を流す導体線１７ｃとを備えている。また、放熱体支持部１６は、これらの導体線１７ａ，１７ｂ，１７ｃを、第１及び第２放熱体１３，１４と印刷配線板１５との間で覆うように設けられている。これにより、高電圧が加わる第２放熱体１４の取り付け面１４ａと導体線１７ａ、１７ｂとの間に必要な絶縁を確保することができる。
【００４６】
また、本実施形態にかかる誘導加熱調理器においては、第１放熱体１３は、第１放熱体１３と一体に設けられたアルミニウム製の第１脚１３ｂを有し、当該第１脚１３ｂの下端を印刷配線板１５上に載置して固定するようにしている。これにより、第１脚１３ｂの部分での放熱作用で、第１放熱体１３の冷却効果を高めることができる。また、第１脚１３ｂを設けたことにより、第１放熱体１３の取り付け面１３ａと印刷配線板１５との間に隙間が生じるので、当該隙間に冷却風を通過させることで第１放熱体の冷却効果をさらに高めることができる。
【００４７】
また、本実施形態にかかる誘導加熱調理器においては、第２放熱体１４は、第２放熱体１４と一体に設けられたアルミニウム製の第２脚１４ｂを有し、当該第２脚１４ｂの上下方向の長さｈ２を第１脚の長さｈ２より短くし、第２脚１４ｂの下端を放熱体支持部１６に載置して印刷配線板１５上に固定するようにしている。この構成により、第２放熱体１４の下方に第２放熱体１４との電位差が大きい電気部品を配置し易くすることができ、印刷配線板１５の面積を効率的に使用することができる。また、第２脚１４ｂの部分での放熱作用で、第２放熱体１４の冷却効果を第２脚１４ｂがない場合に比べて高めることができる。
【００４８】
また、本実施形態にかかる誘導加熱調理器においては、放熱体支持部１６に第２放熱体１４の全体が載置されるように、すなわち、放熱体支持体１６が第２放熱体１６の全重量を支持するように構成している。これにより、第２放熱体１４の下方に第２放熱体１４と電位差が大きな電気部品を配置し易くなるので、印刷配線板１５の面積を効率的に使用することができる。
【００４９】
なお、本発明は前記実施形態に限定されるものではなく、その他種々の態様で実施できる。例えば、前記実施形態においては、放熱体支持部１６に第２放熱体１４の全体が載置されるように構成したが、本発明はこれに限定されない。例えば、第２放熱体１４に加えて、放熱体支持部１６に第１放熱体１４の全体が載置されるように構成してもよい。この構成により、第１放熱体１３の下方にも第１放熱体１３と電位差が大きな電気部品を配置し易くなるので、印刷配線板１５の面積をさらに効率的に使用することができる。
【００５０】
また、前記実施形態においては、第２放熱体１４の第２脚１４ｂを第１放熱体１３の第１脚１３ｂよりも上下方向の長さを短くし、当該第２放熱体１４を放熱支持部１６に載置して印刷配線板１５上に固定するようにしたが、本発明はこれに限定されない。例えば、第２脚１４ｂを第１脚１３ｂと同じ上下方向の長さを有するように構成し、当該第２脚１４ｂを直接、印刷配線板１５に載置して固定するようにしてもよい。これにより、第１脚１３ｂ及び第２脚１４ｂの部分での放熱作用で、第１及び第２放熱体１３，１４の冷却効果を高めることができる。また、第１脚１３ｂ及び第２脚１４ｂにより、第１及び第２放熱体１３，１４の本体と印刷配線板１５との間に隙間を空けることができるので、当該隙間に冷却風を通過させることで第１及び第２放熱体１３，１４の冷却効果をさらに高めることができる。
【産業上の利用可能性】
【００５１】
本発明にかかる誘導加熱調理器は、スイッチング素子の冷却効果を高めることと、放熱体の設置面積を小さくすることの両方を実現することができるので、一般家庭の台所や業務用の厨房等で使用される誘導加熱調理器等として有用である。
【符号の説明】
【００５２】
１    商用電源
２    整流器
３    チョークコイル
４    平滑コンデンサ
５    第１共振コンデンサ
６    第２共振コンデンサ
７    加熱コイル
７ａ，７ｂ  接続端子
８    第１スイッチング素子
９    第２スイッチング素子
１０    被加熱物
１１    共振回路
１２    シャント抵抗
１３    第１放熱体
１３ａ  第１取り付け面
１３ｂ  第１脚
１３ｃ  水平部
１３ｄ，１３ｅ  取り付け穴
１３ｆ  側面
１４    第２放熱体
１４ａ  第２取り付け面
１４ｂ  第２脚
１４ｃ  水平部
１４ｅ，１４ｇ  取り付け穴
１４ｆ  側面
１５    印刷配線板
１５ｂ  銅箔パターン
１６    放熱体支持部
１６ａ  第１壁
１６ｂ  第１載置部
１６ｃ  第２載置部
１６ｄ，１６ｆ，１６ｉ，１６ｊ  穴
１６ｂａ，１６ｃａ  固定用ボス
１６ｂｂ，１６ｃｂ  位置決め用ボス
１６ｂｃ，１６ｃｃ  載置面
１６ｂｅ，１６ｃｅ  垂直部
１６ｇ    第２壁
１６ｈ    第３壁
１６ｌ    底面
１６ｋ，１６ｍｄ    切り欠き部
１６ｍａ，１６ｍｂ，１６ｍｃ  壁面
１７，１８    ネジ
１７ａ，１７ｂ，１７ｃ    導体線
１９    コンデンサ
【図１】
2011014261.tif 000003
【図２】
2011014261.tif 000004
【図３】
2011014261.tif 000005
【図４】
2011014261.tif 000006
【図５】
2011014261.tif 000007